(57)【要約】【課題】複数の払拭部を有効に活用して衛生的且つ安全に払拭作業を行うことが可能なダスタークロスとその使用方法とを提供する【解決手段】マトリックス状に配置された４つの払拭部１１ａ〜１１ｄを有し、第１の対角方向Ｄ１に配置された２つの払拭部１１ａ，１１ｃの一方面１１Ｆと、第１の対角方向Ｄ１と交差する第２の対角方向Ｄ２に配置された２つの払拭部１１ｂ，１１ｄの他方面１１Ｒとに、各払拭部１１ａ〜１１ｄを識別するための標識部１４が設けられている。【選択図】図１
2019084300.tif 000002
【特許請求の範囲】
【請求項１】
マトリックス状に配置された４つの払拭部を有し、
第１の対角方向に配置された２つの前記払拭部の一方面と、前記第１の対角方向と交差する第２の対角方向に配置された２つの前記払拭部の他方面とに、前記各払拭部を識別するための標識部が設けられていることを特徴とするダスタークロス。
【請求項２】
前記各払拭部に設けられた前記各標識部が、該払拭部に関する順序を示す標識からなることを特徴とする請求項１に記載のダスタークロス。
【請求項３】
請求項１又は２に記載のダスタークロスの使用方法であって、
縦横に設けられて前記払拭部間を連結する連結部において前記ダスタークロスを屈曲させて折り畳むことで前記払拭部を積層状態に配置した後、
一端側の最外層に配置された前記払拭部の外側面を払拭作業に使用し、
縦横に設けられた前記連結部を境に使用済の前記払拭部を反転させて、該払拭部を積層状態の残りの前記払拭部に対し他端側へ移動させることで、新たな前記払拭部を一端側の最外層に配置し、
新たな前記払拭部の外側面を払拭作業に使用することを特徴とするダスタークロスの使用方法。
【請求項４】
積層状態に配置された複数の払拭部と、
前記各払拭部の周縁の一部に複数方向に設けられ、前記払拭部間を連結する連結部と、
前記各払拭部を識別するために該各払拭部の一方面に設けられた標識部と、を備え、
複数方向に設けられた前記連結部を境に一端側の最外層の前記払拭部を反転させることで、該払拭部を残りの前記払拭部に対し他端側へ移動可能であることを特徴とするダスタークロス。
【発明の詳細な説明】
【技術分野】
【０００１】
本発明は、複数の払拭部を有するダスタークロスと、そのダスタークロスを使用する方法と、に関する。
【背景技術】
【０００２】
ビルメンテナンスの清掃業務等ではダスタークロスを使用して払拭作業が行われる。払拭作業では、略四角形状のダスタークロスを折り畳んで複数の払拭部を積層状態で設け、最外層に配置された払拭部の外側面を使用して対象を払拭する。その後、別の払拭部を最外層の外側面に配置し、払拭する作業を行うことが繰り返えされる。
下記特許文献１では、雑巾がけの途中でどの面が汚れてきたか分からなくなるため、雑巾を６等分に払拭部を区画し、各払拭部に番号をふり、折り畳んで番号順に使用する雑巾が提案されている。
【先行技術文献】
【特許文献】
【０００３】
【特許文献１】特開２０１５−２０８６６５号公報
【発明の概要】
【発明が解決しようとする課題】
【０００４】
しかしながら、従来のダスタークロスでは折り畳んで複数の払拭部を設け、畳み直しながら複数の払拭部を順に使用するため、使用済みの面の向きや位置を把握し難い。折り畳み直して一端側の最外層に新たな払拭部を配置して使用する際、他端側の外表面に使用済の面が配置されてしまうこともある。
その場合には衛生的に払拭作業を行うことができなくなり、再度折り畳み直したり、途中でダスタークロスを交換したりすることが必要であった。
病院、介護施設等の清掃業務で行われる払拭作業では、各種の汚染に対する高度な対策が要求されるが、使用済みの面の向きや位置を把握し難いと、各種の汚染に対する危険性も高くなるため好ましくない。
【０００５】
そこで本発明では、複数の払拭部を有効に活用して衛生的且つ安全に払拭作業を行うことが可能なダスタークロスとその使用方法とを提供することを目的とする。
【課題を解決するための手段】
【０００６】
本発明のダスタークロスは、マトリックス状に配置された４つの払拭部を有し、第１の対角方向に配置された２つの前記払拭部の一方面と、前記第１の対角方向と交差する第２の対角方向に配置された２つの前記払拭部の他方面とに、前記各払拭部を識別するための標識部が設けられていることを特徴としている。
【０００７】
このダスタークロスでは、前記各払拭部に設けられた前記各標識部が、該払拭部に関する順序を示す標識からなることを特徴としてもよい。
【０００８】
本発明のダスタークロスの使用方法は、上述のダスタークロスを使用し、縦横に設けられて前記払拭部間を連結する連結部において前記ダスタークロスを屈曲させて折り畳むことで前記払拭部を積層状態に配置した後、一端側の最外層に配置された前記払拭部の外側面を払拭作業に使用し、縦横に設けられた前記連結部を境に使用済の前記払拭部を反転させて、該払拭部を積層状態の残りの前記払拭部に対し他端側へ移動させることで、新たな前記払拭部を一端側の最外層に配置し、新たな前記払拭部の外側面を払拭作業に使用することを特徴としている。
【０００９】
本発明の他のダスタークロスは、積層状態に配置された複数の払拭部と、前記各払拭部の周縁の一部に複数方向に設けられ、前記払拭部間を連結する連結部と、前記各払拭部を識別するために該各払拭部の一方面に設けられた標識部と、を備え、複数方向に設けられた前記連結部を境に一端側の最外層の前記払拭部を反転させることで、該払拭部を残りの前記払拭部に対し他端側へ移動可能であることを特徴としていてもよい。
【発明の効果】
【００１０】
本発明によれば、複数の払拭部がマトリックス状に配置されたダスタークロスを連結部で折り畳むことにより、複数の払拭部が積層状態に配置されているので、最外層の払拭部の外側面を払拭作業に使用できる。
そして最外層の払拭部を使用後には、使用済の払拭部を複数方向の連結部を境にして反転させることで、積層状態の残りの払拭部に対して積層方向の一端側から他端側へ移動させることができる。これにより新たな払拭部を一端側の最外層に配置でき、その払拭部の外側面を払拭作業に使用できる。そのため積層状態の払拭部を順次最外層に配置して払拭作業を行うことで、各払拭部を有効に活用して払拭作業を行うことができる。
【００１１】
また積層状態の一端側に配置されている使用済の払拭部を、縦方向及び横方向の２つの連結部を境にして反転及び移動させることで他端側に積層するため、使用済の面を積層状態の他の払拭部に向けて配置でき、これにより使用済の面を外側に露出させないように他の払拭部で覆うことができる。そのため積層状態の払拭部を順次最外層に配置して払拭作業を行う際、作業者が使用済の面に接触するおそれがなく、衛生的且つ安全に払拭作業を行うことができる。
【００１２】
さらに本発明によれば第１の対角方向に配置された各払拭部の一方面と、第１の対角方向と交差する第２の対角方向に配置された各払拭部の他方面とに、各払拭部を識別するための標識部が設けられているので、ダスタークロスを折り畳んで各払拭部を積層状態にすると、識別部が設けられた各払拭部の面が積層方向に対して同じ側に配置される。
【００１３】
そのため複数の払拭部を使用して払拭作業を行う際、各払拭部の積層方向における位置及び向きを容易に把握でき、各払拭部の同じ側の片面だけを使用して衛生的且つ安全に払拭作業を行うことができる。また所望の払拭部を用いた払拭作業を行うことも容易である。
従って複数の払拭部を有効に活用して衛生的且つ安全に払拭作業を行うことが可能なダスタークロスを提供することができる。
【図面の簡単な説明】
【００１４】
【図１】本発明の第１実施形態に係るダスタークロスを示し、（ａ）は展開状態の正面図、（ｂ）は展開状態の背面図、（ｃ）は折り畳んで積層した状態を説明するための斜視図である。
【図２】（ａ）〜（ｃ）は、本発明の第１実施形態に係るダスタークロスを折り畳む手順を説明する図である。
【図３】（ａ）〜（ｈ）は、本発明の第１実施形態に係るダスタークロスを払拭作業に使用したとき、払拭部の反転及び移動させる手順を説明する図である。
【図４】本発明の第１実施形態に係るダスタークロスを示し、（ａ）〜（ｄ）は各払拭部を最外層に配置したときの平面図であり、（ｅ）はは折り畳んで積層した状態を説明するための斜視図である。
【発明を実施するための形態】
【００１５】
以下、本発明の実施形態について図を用いて詳細に説明する。
［第１実施形態］
図１（ａ）〜（ｃ）は、本実施形態のダスタークロス１０を示し、１枚の略四角形状を有するシート状の布からなる。ダスタークロス１０を構成する布は払拭対象に適した材料からなるもので、織布であっても不織布であってもよく、適宜縫製されていてもよい。
【００１６】
本実施形態のダスタークロス１０には、展開状態でマトリックス状に配置された４つの払拭部１１ａ〜１１ｄが設けられている。各払拭部１１ａ〜１１ｄは片面が払拭作業に使用される面となっている。
４つの払拭部１１ａ〜１１ｄの互いに隣り合う払拭部１１ａ〜１１ｄ間には、ダスタークロス１０を縦断及び横断するように延びて払拭部１１ａ〜１１ｄ間を一体に連結する連結部１２ａ，１２ｂが設けられている。
【００１７】
本実施形態では、連結部１２ａ，１２ｂがダスタークロス１０に縦横に設けられることで、各払拭部１１ａ〜１１ｄの周縁のうちの一部に複数方向に連結部１２ａ，１２ｂが設けられた構成となっている。具体的には略四角形形状の各払拭部１１ａ〜１１ｄにおける４辺のうち、互いに交差する２辺に連結部１２ａ，１２ｂが設けられて、それぞれ隣り合う払拭部１１ａ〜１１ｄと連結され、他の２辺が開放された状態となっている。
【００１８】
このダスタークロス１０の払拭部１１ａ〜１１ｄ及び連結部１２ａ，１２ｂは、明確に区画された部位であってもよいが、区別無く一体に連続して設けられていてもよい。本実施形態では連結部１２ａにダスタークロス１０を屈曲させる位置を示すための第１の折り目印１３ａがダスタークロス１０の一方面１１Ｆに横断方向に設けられるとともに、第２の折り目印１３ｂがダスタークロス１０の連結部１２ｂの他方面１１Ｒに縦断方向に設けられている。
【００１９】
このダスタークロス１０では、２つの払拭部１１ａ，１１ｃが第１の対角方向Ｄ１に設けられており、それぞれの一方面１１Ｆには各払拭部１１ａ，１１ｃを識別するための標識部１４が設けられている。また他の２つの払拭部１１ｂ，１１ｄが第１の対角方向Ｄ１と交差する第２の対角方向Ｄ２に設けられており、それぞれの他方面１１Ｒには各払拭部１１ｂ，１１ｄを識別するための標識部１４が設けられている。
【００２０】
この実施形態では、各標識部１４は各払拭部１１ａ〜１１ｄの積層順序を示す標識となっており、「１」から連続する数字が記載されている。具体的には、第１の対角方向Ｄ１の２つの払拭部１１ａ，１１ｃには「１」、「３」が記載されており、第２の対角方向Ｄ２の２つの払拭部１１ｂ，１１ｄには「２」、「４」が記載されている。
【００２１】
各払拭部１１ａ〜１１ｄの標識部１４は、横断方向の連結部１２ａ側を上又は下とし、正面視における左右に合わせて、上下左右の向きを揃えて設けられている。
そのため４つの払拭部１１ａ〜１１ｄが順に積層されると、「１」〜「４」の数字が上下、左右、及び表裏の各方向が同じ向きで配置される。
【００２２】
このようなダスタークロス１０を払拭作業に使用するには、まず図２（ａ）に示すように、展開状態のダスタークロス１０を、横断方向の連結部１２ａにおける一方面１１Ｆに設けられた第１の折り目印１３ａに沿って２つ折りに折り畳む。
次いで図２（ｂ）に示すように、第１の折り目印１３ａで折り畳んだ状態から、他方面１１Ｒに設けられた第２の折り目印１３ｂに沿って折り畳む。
これにより図２（ｃ）に示すように、ダスタークロス１０を４つ折りに折り畳んで払拭部１１ａ〜１１ｄを積層する。
【００２３】
次に、図３（ａ）（ｂ）に示すように、払拭部１１ａ〜１１ｄが積層状態に配置されたダスタークロス１０における最外層の払拭部１１ａの外側面を使用して払拭作業を行う。
払拭部１１ａによる払拭作業後、図３（ｃ）（ｄ）に示すように、積層状態の残りの払拭部１１ｂ〜１１ｄにおける積層方向の一端１１α側に配置されていた使用済の払拭部１１ａを、２つの連結部１２ａ，１２ｂを境にして反転させることで、払拭部１１ｂ〜１１ｄにおける他端１１β側へ移動させる。
【００２４】
これにより図３（ｅ）（ｆ）に示すように、次の新たな払拭部１１ｂが一端１１α側の最外層に配置される。この状態で最外層の払拭部１１ｂの外側面を使用して払拭作業を行う。
そして、払拭部１１ｂによる払拭作業後、図３（ｇ）（ｈ）に示すように、使用済の払拭部１１ｂを２つの連結部１２ａ，１２ｂを境にして反転させ、払拭部１１ｂを積層状態の払拭部１１ｃ，１１ｄ，１１ａに対して一端１１α側から他端１１β側へ移動させる。
【００２５】
その後、上記と同様に新たな払拭部１１ｃ、１１ｄを順次一端１１α側の最外層に配置し、その外側面を使用して払拭作業を行う。
これにより標識部１４の標識が「１」〜「４」となる順序で、払拭部１１ａ〜１１ｄを順次最外層に配置して払拭作業を行うことができる。
【００２６】
以上のような本実施形態のダスタークロス１０によれば、４つの払拭部１１ａ〜１１ｄがマトリックス状に配置されているので、連結部１２ａ，１２ｂで屈曲させて４つ折りにすることで、４つの払拭部１１ａ〜１１ｄを積層状態に配置でき、最外層の払拭部１１ａを使用して払拭作業を行うことができる。
最外層の払拭部１１ａを使用した後には、使用済の払拭部１１ａを２つの連結部１２ａ，１２ｂを境にして反転させることで、新たな払拭部１１ｂを一端１１α側の最外層に配置して払拭作業に使用することができる。そのため積層状態の払拭部１１ａ〜１１ｄを順次最外層に配置して払拭作業を行うことが可能で、各払拭部１１ａ〜１１ｄを有効に活用して払拭作業を行うことができる。
【００２７】
また積層状態の一端側に配置されている使用済の払拭部１１ａを、２つの連結部１２ａ，１２ｂを境にして反転及び移動させることで他端１１β側に積層するため、使用済の面１１Ｘを積層状態の残り３層の払拭部１１ｂ〜１１ｄに向けて配置できる。これにより使用済の面１１Ｘを他の払拭部１１ｂ〜１１ｄで覆い外側に露出しにくくできる。
そのため積層状態の払拭部１１ａ〜１１ｄを順次最外層に配置して払拭作業を行う際、作業者が使用済の面１１Ｘに接触するおそれがなく、衛生的且つ安全に払拭作業を行うことができる。
【００２８】
さらに本実施形態では、第１の対角方向Ｄ１に配置された２つの払拭部１１ａ，１１ｃの一方面１１Ｆと、第１の対角方向Ｄ１と交差する第２の対角方向Ｄ２に配置された他の２つの払拭部１１ｂ，１１ｄの他方面１１Ｒとに、各払拭部１１ａ〜１１ｄを識別するための標識部１４が設けられている。そのためダスタークロス１０を折り畳んで各払拭部１１ａ〜１１ｄを積層状態にすると、標識部１４が設けられた各払拭部１１ａ〜１１ｄの面が積層方向に対して同じ側に配置される。
【００２９】
これにより複数の払拭部１１ａ〜１１ｄを使用して払拭作業を行う際、標識部１４を確認することで、各払拭部１１ａ〜１１ｄの積層方向における位置及び向きを容易に把握できる。例えば各払拭部１１ａ〜１１ｄを反転及び移動させて識別部１４を同じ側になるように支持して使用することで、各払拭部１１ａ〜１１ｄの同じ側の片面だけを使用して衛生的且つ安全に払拭作業を容易に行うことができる。また識別部１４を目印に所望の払拭部１１ａ〜１１ｄを選択し、この払拭部１１ａ〜１１ｄを最外層に配置して使用することで、所望の払拭部１１ａ〜１１ｄを用いた払拭作業を容易に行うことも可能である。
【００３０】
本実施形態のダスタークロス１０では、各標識部１４が各払拭部１１ａ〜１１ｄに関する順序を示す標識からなり、積層順及び使用順を示している。そのため標識部１４に従って積層するようにダスタークロス１０を折り畳むことができる。また標識部１４に従って各払拭部１１ａ〜１１ｄを順に反転及び移動させて使用することで４つの払拭部１１ａ〜１１ｄを順序よく使用でき、使用済の払拭部１１ａ〜１１ｄを再使用することを防止できる。
【００３１】
またこの実施形態のダスタークロス１０では、連結部１２ａ，１２ｂの折り曲げ位置に折り目印１３ａ，１３ｂを設けているので、折り目印１３ａ，１３ｂに従って折り畳むことで、標識部１４が確実に積層順や使用順となるように容易に払拭部１１ａ〜１１ｄを積層することが可能である。
【００３２】
［第２実施形態］
図４は、第２実施形態のダスタークロス１０を示している。この第２実施形態のダスタークロス１０は、各払拭部１１ａ〜１１ｄに設けられた標識部１４が異なる他は、全て第１実施形態と同様である。
このダスタークロス１０では、２つの払拭部１１ａ，１１ｃの一方面１１Ｆに設けられた標識部１４と、他の２つの払拭部１１ｂ，１１ｄの他方面１１Ｒに設けられた標識部１４と、がクローバーの葉をハート形状にしたイラストにより構成されている。
【００３３】
各払拭部１１ａ〜１１ｄの標識部１４では、ダスタークロス１０を横断する連結部１２ａ側を使用時の上とし、正面視における左右に合わせ、各標識部１４のイラストが上下左右を統一して設けられている。
各標識部１４では、積層順に応じてイラストの数が増加するように設けられている。そのため折り畳まれて各払拭部１１ａ〜１１ｄが積層状態に配置されたダスタークロス１０を払拭作業に使用する際には、イラストの数に従って順に使用することができる。
【００３４】
このような第２実施形態のダスタークロスであっても、第１実施形態と同様の作用効果を得ることができる。
しかも第２実施形態では、標識部１４がイラストからなるので、外観品質を向上することも可能である。
【００３５】
なお上記実施形態１、２は本発明の範囲内において適宜変更可能である。
例えば上記第１及び第２実施形態では、マトリックス状に４つの払拭部１１ａ〜１１ｄが設けられ四角形形状を有するダスタークロス１０について説明したが、特に限定されるものではない。例えば四角以外の多角形形状であってもよく、周縁の一部や全部に曲線形状を有していてもよい。
さらにダスタークロス１０として、シート状のものを例示したが、複数の払拭部が積層状態で配置されて周縁の一部で連結部位により予め纏めて連結されたものであってもよい。
【００３６】
また上記第１及び第２実施形態では、積層順序及び使用順序を示す標識部１４を各１１ａ〜１１ｄに設けたが、標識部１４が各払拭部１１ａ〜１１ｄの積層順序と異なる使用順序を示すものであってもよい。
さらに標識部１４も特に限定されるものではなく、他の払拭部１１ａ〜１１ｄの標識部１４と異なることが視認できるものであればよく、例えば互いに異なる文字、記号、図形、色彩などであってもよい。
【符号の説明】
【００３７】
１０  ダスタークロス
１１ａ〜１１ｄ  払拭部
１１Ｆ  一方面
１１Ｒ  他方面
１１α  積層方向の一端
１１β  積層方向の他端
１１Ｘ  使用済の面
１２ａ，１２ｂ  連結部
１３ａ  第１の折り目印
１３ｂ  第２の折り目印
１４  標識部
Ｄ１  第１の対角方向
Ｄ２  第２の対角方向
【図１】
2019084300.tif 000003
【図２】
2019084300.tif 000004
【図３】
2019084300.tif 000005
【図４】
2019084300.tif 000006